(57)【要約】      （修正有）【課題】ストラップを把持して携帯通信端末を持ち運んでも、携帯通信端末の落下を防止できるコネクタストラップを提供する。【解決手段】ハウジング本体１に接続端子２、ストラップ３及びロック機構５を備えるコネクタストラップＸである。接続端子２を携帯通信端末に接続し、ロック機構５で接続端子２の外部接続端子１２に対する取外を不能／可能とするコネクタストラップＸを構成する。【選択図】図１
0003175675.tif 000002
【実用新案登録請求の範囲】
【請求項１】
ハウジング本体と、
前記ハウジング本体に配置され、携帯通信端末の外部接続端子に接続される接続端子と、
前記ハウジング本体に取付けられるストラップと、
前記ハウジング本体に配置され、操作部を有するロック機構を備え、
前記ロック機構は、
前記接続端子の前記外部接続端子への接続に伴って、前記接続端子の前記外部接続端子に対する取外を不能とし、
前記操作部の操作に伴って、前記接続端子の前記外部接続端子に対する取外を可能とする
ことを特徴とするコネクタストラップ。
【請求項２】
前記ハウジング本体は、
前記ストラップを取付ける環状部を有し、
前記ストラップは、
前記環状部に対して、取付又は取外自在な連結部を有してなる
ことを特徴とする請求項１に記載のコネクタストラップ。
【請求項３】
前記ハウジング本体は、
前記接続端子に接続され、電圧印加で発光する発光素子を有し、
前記接続端子は、
前記外部接続端子を通して、前記携帯通信端末の蓄電素子に接続される
ことを特徴とする請求項１又は２に記載のコネクタストラップ。
【請求項４】
前記ハウジング本体は、
前記接続端子に接続され、電圧印加で発光する発光素子と、
前記携帯通信端末の着信を検出し、前記発光素子の発光を制御する着信検出・制御部を有し、
前記接続端子は、
前記外部接続端子を通して、前記携帯通信端末の蓄電素子に接続され、
前記着信検出・制御部は、
前記接続端子及び前記外部接続端子を接続した状態で、前記携帯通信端末の着信を検出すると、前記蓄電素子の電圧を前記発光素子に印加する
ことを特徴とする請求項１又は２に記載のコネクタストラップ。
【考案の詳細な説明】
【技術分野】
【０００１】
本考案は、ＰＤＡ（Personal Data Assistance）機能付き携帯電話（スマートフォン）、ＰＤＡ（Personal Data Assistance）、及びタブレットＰＣ、携帯ゲーム機、携帯電話等の携帯通信端末において、携帯通信端末の外部接続端子に接続するコネクタストラップに関する。
【背景技術】
【０００２】
コネクタストラップとして、特許文献１は、アクセサリ、供給用コネクタ、ストラップを備え、供給用コネクタ及びストラップをアクセサリに固定する外部接続型懐中灯を開示している。
【０００３】
しかし、特許文献１では、外部接続型懐中灯の供給用コネクタを携帯電話の充電用コネクタに接続した後、ストラップを把持して携帯電話を持ち運ぶと、供給用コネクタが充電用コネクタから外れて、携帯電話が落下する虞がある。
【先行技術文献】
【特許文献】
【０００４】
【特許文献１】特開２００５−１９７１９７号公報
【考案の概要】
【考案が解決しようとする課題】
【０００５】
本考案は、ストラップを把持して携帯通信端末を持ち運んでも、携帯通信端末の落下を防止できるコネクタストラップを提供することにある。
【課題を解決するための手段】
【０００６】
本考案に係る請求項１は、ハウジング本体と、前記ハウジング本体に配置され、携帯通信端末の外部接続端子に接続される接続端子と、前記ハウジング本体に取付けられるストラップと、前記ハウジング本体に配置され、操作部を有するロック機構を備え、前記ロック機構は、前記接続端子の前記外部接続端子への接続に伴って、前記接続端子の前記外部接続端子に対する取外を不能とし、前記操作部の操作に伴って、前記接続端子の前記外部接続端子に対する取外を可能とすることを特徴とするコネクタストラップに関する。
【０００７】
本考案に係る請求項２は、前記ハウジング本体は、前記ストラップを取付ける環状部を有し、前記ストラップは、前記環状部に対して、取付又は取外自在な連結部を有してなることを特徴とするコネクタストラップに関する。
【０００８】
本考案に係る請求項３は、前記ハウジング本体は、前記接続端子に接続され、電圧印加で発光する発光素子を有し、前記接続端子は、前記外部接続端子を通して、前記携帯通信端末の蓄電素子に接続されることを特徴とする請求項１又は２に記載のコネクタストラップに関する。
【０００９】
本考案に係る請求項４は、前記ハウジング本体は、前記接続端子に接続され、電圧印加で発光する発光素子と、前記携帯通信端末の着信を検出し、前記発光素子の発光を制御する着信検出・制御部を有し、前記接続端子は、前記外部接続端子を通して、前記携帯通信端末の蓄電素子に接続され、前記着信検出・制御部は、前記接続端子及び前記外部接続端子を接続した状態で、前記携帯通信端末の着信を検出すると、前記蓄電素子の電圧を前記発光素子に印加することを特徴とする請求項１又は２に記載のコネクタストラップに関する。
【考案の効果】
【００１０】
本考案に係る請求項１では、接続端子を携帯通信端末の外部接続端子に接続すると、ロック機構は接続端子の外部接続端子に対する取外を不能にする。
これにより、ストラップを把持して携帯通信端末を持ち運んでも、接続端子が外部接続端子から抜けて携帯通信端末が落下することを防止できる。
また、ハウジング本体の操作部を操作すると、ロック機構は接続端子の外部接続端子に対する取外を可能とするので、ハウジング本体、ストラップを携帯通信端末から外すことができる。
【００１１】
本考案に係る請求項２では、請求項１の効果に加えて、ストラップの連結部をハウジング本体の環状部に対して、取付又は取外できるので、様々な仕様（装飾）のストラップをハウジング本体に取付けることが可能となる。
【００１２】
本考案に係る請求項３では、請求項１又は請求項２の効果に加えて、接続端子を携帯通信端末の外部接続端子に接続すると、携帯通信端末の蓄電素子の電圧を発光素子に印加して発光できる。
これにより、装飾性に優れたコネクタストラップを提供でき、暗闇中でも発光素子の発光によって携帯通信端末を認識できる。
また、発光素子を発光することで、暗闇中において、携帯電灯として用いることもできる。
更に、発光素子は、携帯通信端末の蓄電素子の電圧印加で発光できるので、ハウジング本体内に別途、電池等の電源素子を設ける必要がなく、コネクタストラップの軽量化を図ることが可能である。
【００１３】
本考案に係る請求項４では、請求項１又は２の効果に加えて、着信検出・制御は、携帯通信端末の着信を検出すると、携帯通信端末の蓄電素子の電圧を発光素子に印加して発光するので、携帯通信端末の着信を認識できる。
また、携帯通信端末の着信時、発光素子が発光するので、暗闇中でも携帯通信端末を認識でき、携帯通信端末の着信を確認できる。
また、発光素子は、携帯通信端末の蓄電素子の電圧印加で発光できるので、ハウジング本体内に別途、電池等の電源素子を設ける必要がなく、コネクタストラップの軽量化を図ることが可能である。
【図面の簡単な説明】
【００１４】
【図１】本考案に係るコネクタストラップを示す図であって、（ａ）は正面図、（ｂ）は側面図、（ｃ）は底面図である。
【図２】本考案に係るコネクタストラップのロック機構を示す模式図であって、（ａ）は正面模式図、（ｂ）は側面模式図、（ｃ）は底面模式図である。
【図３】本考案に係るコネクタストラップの着信検出・制御部を示すブロック図である。
【図４】携帯通信端末を示す図であって、（ａ）は正面図、（ｂ）は底面図である。
【図５】本考案に係るコネクタストラップ及び携帯通信端末を示す図である。
【図６】本考案に係るコネクタストラップを携帯通信端末に接続した状態を示す図である。
【図７】本考案に係るコネクタストラップを携帯通信端末に接続した状態を示す図であって、（ａ）は一部断面拡大図、（ｂ）は図７（ａ）の要部断面拡大図である。
【図８】本考案に係るコネクタストラップの制御部を示すブロック図である。
【考案を実施するための形態】
【００１５】
本考案に係るコネクタストラップについて、図１乃至図８を参照して説明する。
【００１６】
本考案に係るコネクタストラップは、携帯通信端末に接続されるもので、説明の便宜上、先ず、携帯通信端末について説明する。
【００１７】
＜携帯通信端末＞
先ず、携帯通信端末について、図４を参照して説明する。
【００１８】
図４において、携帯通信端末（Ｚ）は、ＰＤＡ（Personal Data Assistance）機能付き携帯電話で構成され、「スマートフォン」と称される。なお、携帯通信端末（Ｚ）としては、ＰＤＡ（Personal Data Assistance）、タブレットＰＣ、携帯ゲーム機、携帯電話等、通信機能を有する端末を採用できる。
【００１９】
携帯通信端末（Ｚ）は、端末本体（１０１）を備えている。
端末本体（１０１）は、表示・操作パネル（１０２）、外部接続端子（１０３）及び蓄電素子（１０４）等を装備している。
【００２０】
外部接続端子（１０３）は、例えば、ドグコネクタで構成され、端末本体（１０１）のコネクタ収納空間（１０５）内に配置される。
また、外部接続端子（１０３）は、電気回路（図示しない）を通して蓄電素子（１０４）に接続されている。
コネクタ収納空間（１０５）は、図５に示すように、一対の係止突部（１０６）、（１０６）を有し、端末本体（１０１）の側面（１０１ａ）に開口している。各係止突部（１０６）、（１０６）は、端末本体（１０１）の幅方向（Ｈ）において、外部接続端子（１０３）の両側に間隔を隔てて配置され、相互に対峙している。
【００２１】
蓄電素子（１０４）は、図４に示すように、端末本体（１０１）内に収納され、上記電気回路（図示しない）を通して外部接続端子（１０３）に接続されている。蓄電素子（１０４）は、例えば、リチウムイオン二次電池で構成される。
【００２２】
＜コネクタストラップ＞
次に、本考案に係るコネクタストラップについて、図１乃至図３を参照して説明する。
【００２３】
図１及び図２において、コネクタストラップ（Ｘ）は、ハウジング本体（１）、接続端子（２）、ストラップ（３）及びロック機構（５）を備えている。
ハウジング本体（１）は、環状部（１Ａ）を有している。
【００２４】
接続端子（２）は、図１に示すように、コネクタで構成され、携帯通信端末（Ｚ）の外部接続端子（１０３）を内部に収納して接続される。接続端子（２）は、ハウジング本体（１）において、環状部（１Ａ）反対側に配置され、ハウジング本体（１）外側に突出している。
【００２５】
ストラップ（３）は、連結部（６）、及びストラップ環紐（７）を備えている。
連結部（６）は、例えば、ナス環材（以下「ナス環材（６）」と称する。）で構成される。ナス環材（６）は、環材本体（８）、フック部材（９）、可動部材（１０）、操作片（１１）及び取付リング（１２）を有し、フック部材（９）及び可動部材（１０）で環状部（Ｋ）を形成する。
【００２６】
フック部材（９）は、環材本体（８）に固定され、可動部材（１０）は環材本体（８）に摺動自在又は回転自在に配置される。
【００２７】
可動部材（１０）は環材本体（８）内のバネ部材（図示しない）のバネ力でフック部材（９）に当接される。
【００２８】
操作片（１１）は、環材本体（８）に配置され、可動部材（１０）に連結されている。
取付リング（１２）は、フック部材（９）の反対側に配置され、環材本体（８）に連結されている。
【００２９】
ストラップ環紐（７）は、ナス環材（６）の取付リング（１２）に挿通され、取付リング（１２）に取付けられる。
【００３０】
上記構成のストラップ（３）において、ナス環材（６）の操作片（１１）を操作すると、可動部材（１０）はバネ部材（図示しない）のバネ力に抗して摺動又は回転され、フック部材（９）間で環状部（Ｋ）を開放する。
これにより、ナス環材（６）において、フック部材（９）をハウジング本体（１）の環状部（１Ａ）内に挿通する。
続いて、操作片（１１）の操作を解除すると、可動部材（１０）は、バネ部材（図示しない）のバネ力でフック部材（９）側に摺動又は回転され、フック部材（９）に当接して環状部（Ｋ）を形成する。
これにより、ストラップ（３）は、ナス環材（７）でハウジング本体（１）の環状部（１Ａ）に取付けられる。
【００３１】
ロック機構（５）は、図１及び図２に示すように、操作部（１５）及び係止部（１６）を有し、操作部（１５）は一対の操作ボタン（１７）、（１７）で構成される。
【００３２】
各操作ボンタン（１７）、（１７）は、ハウジング本体（１）の幅方向（Ｈ）において、ハウジング本体（１）の両側に取付けられている。ハウジング（１）の幅方向（Ｈ）とは、接続端子（２）の突出方向（Ｔ）に直交する方向である。
各操作ボンタン（１７）、（１７）は、ハウジング本体（１）に配置され、幅方向（Ｈ）において、ハウジング本体（１）内に摺動自在である。
【００３３】
係止部（１６）は、図１及び図２に示すように、例えばバネ平鋼材で構成され、ハウジング本体（１）及び接続端子（２）に配置されている。係止部（１６）は、一対の係止側板（１８）、（１８）及び係止上側板（１９）を有し、これら板（１８）、（１８）、（１９）でＵ字形に形成される。
各係止側板（１８）、（１８）は、図２に示すように、幅方向（Ｈ）に間隔を隔てて配置され、接続端子（２）の両側に延設されている。各係止側板（１８）、（１８）は、図２に示すように、接続端子（２）に隙間（ｈ）を持って対峙される。
【００３４】
各係止側板（１８）、（１８）は、図２に示すように、突起側板部（２０）及び係止側板片部（２１）を有している。
各突起側板部（２０）、（２０）は各操作ボタン（１７）、（１７）側に突出し、各操作ボタン（１７）、（１７）に当接されている。
各係止側板片部（２１）、（２１）は、各係止側板（１８）、（１８）先端側に配置され、幅方向（Ｈ）において、接続端子（２）から離間するように突出されている。
【００３５】
コネクタストラップ（Ｘ）は、図３に示すように、発光素子（２２）及び着信検出・制御部（２３）を備えている。
発光素子（２２）は、１又は複数の発光ダイオード（ＬＥＤ）で構成され、ハウジング本体（１）に配置される。発光素子（２２）は、発光側をハウジング本体（１）外側に位置している（図１参照）。
発光素子（２２）は、着信検出・制御部（２３）を通して接続端子（２）に接続され、電圧印加で発光する。
【００３６】
着信検出・制御部（２３）は、図３に示すように、ハウジン本体（１）内に配置され、アンテナ（２４）、無線着信回路（２５）、ＣＰＵ（２６：Central Processing Unit）及びＬＥＤ駆動回路（２７）を含んで構成される。
アンテナ（２４）は、無線着信回路（２５）に接続され、無線着信回路（２５）はアンテナ（２４）を通して、携帯通信端末（Ｚ）の電話、メール等の着信を検出する。
ＣＰＵ（２６）は、無線着信回路（２５）に接続され、無線着信回路（２５）の着信検出に基づき、ＬＥＤ駆動回路（２７）を駆動制御する。
ＬＥＤ駆動回路（２７）は、発光素子（２２）に接続され、発光素子（２２）に電圧を印加する。
【００３７】
＜コネクタストラップの組付＞
携帯通信端末（Ｚ）及びコネクタストラップ（Ｘ）の使用者は、図５及び図６に示すように、コネクタストラップ（Ｘ）のハウジング本体（１）を把持して、接続端子（２）を携帯通信端末（Ｚ）のコネクタ収納空間（１０５）内に挿入する。接続端子（２）は、図７に示すように、外部接続端子（１０３）を内部に収納して、外部接続端子（１０３）に接続される。
このとき、ロック機構（５）の各係止側板片部（２１）、（２１）は、図７に示すように、接続端子（２）外側及びコネクタ収納空間（１０５）内の各係止突部（１０６）、（１０６）間に配置されるので、接続端子（２）の挿入に伴って、各係止側板片部（２１）、（２１）は、各係止片突部（１０６）、（１０６）に当接し、各係止側板（１８）、（１８）を接続端子（２）側に弾性変形しつつ各係止突部（１０６）、（１０６）を乗り越えて、コネクタ収納空間（１０５）奥側から各係止突部（１０６）、（１０６）に係止される。
また、各係止側板片部（１８）、（１８）は、各係止側板（１８）、（１８）の弾性変形によるバネ力で接続端子（２）から離間する方向に付勢される。
これにより、ロック機構（５）は、接続端子（２）の外部接続端子（１０３）への接続に伴って、接続端子（２）の外部接続端子（１０３）に対する取外しを不能にする。
【００３８】
そして、コネクタストラップ（Ｘ）は、接続端子（２）及びロック機構（５）を通して携帯通信端末（Ｚ）に固着される。
これにより、コネクタストラップ（Ｘ）のストラップ（３）を把持して、携帯通信端末（Ｚ）を持ち運んでも、接続端子（２）はロック機構（５）で外部接続端子（１０３）に対し取外し不能であるので、携帯通信端末（Ｚ）は抜け落ちない。
【００３９】
また、コネクタストラップ（Ｚ）の着信検出・制御部（２３）は、図３、図６及び図７に示すように、接続端子（２）、携帯通信端末（Ｚ）の外部接続端子（１０２）等を通して、携帯通信端末（Ｚ）の蓄電素子（１０４）に接続される。発光素子（２２）は、着信検出・制御部（２３）、接続端子（２）及び外部接続端子（１０２）等を通して、携帯通信端末（Ｚ）の蓄電素子（１０４）に接続される。
【００４０】
コネクタストラップ（Ｚ）において、無線着信回路（２５）は、図３に示すように、アンテナ（２４）を通して、携帯通信端末（Ｚ）での電話、メールの着信を監視し、着信を検出すると、着信信号（ｆ１）をＣＰＵ（２６）に出力する。
ＣＰＵ（２６）は、着信信号（ｆ１）を入力すると、ＬＥＤ駆動回路（２７）を駆動し、ＬＥＤ駆動回路（２７）は、携帯通信端末（Ｚ）の蓄電素子（１０４）の電圧を発光素子（２２）に印加する。
これにより、発光素子（２２）は発光し、携帯通信端末（Ｚ）及びコネクタストラップ（Ｘ）の使用者は、発光素子（２２）の発光で携帯通信端末（Ｚ）の着信を認識する。
【００４１】
使用者は、ロック機構（５）において、図７に示すように、各操作ボンタン（１７）、（１７）を操作する。この操作は、各操作ボタン（１７）、（１７）をハウジング本体（１）内に摺動し、係止側板（１８）、（１８）を内側へ押付ける。
これにより、各操作ボタン（１７）、（１７）は、図２に示すように、各係止側板（１８）、（１８）の突起側板部（２０）、（２０）をハウジング本体（１）内に押付けるので、各係止側板（１８）、（１８）は、接続端子（２）側に弾性変形され、携帯通信端末（Ｚ）の各係止突部（１０６）、（１０６）から各係止側板片部（２１）、（２１）を退避させる。
ロック機構（５）は、操作部（１５）である各操作ボタン（１７）、（１７）の操作に伴って、接続端子（１２）の外部接続端子（１０３）に対する取外を可能とする。
【００４２】
続いて、使用者は、各操作ボタン（１７）、（１７）を操作しつつ、ハウジング本体（１）を携帯通信端末（Ｚ）から離間する方向へ引っ張ることで、接続端子（２）を外部接続端子（１０３）から引き抜く。
これにより、コネクタストラップ（Ｘ）は、携帯通信端末（Ｚ）から分離される。
【００４３】
本考案に係るコネクタストラップ（Ｘ）において、ストラップ（３）は、連結部であるナス環材（６）によって、ハウジング本体（１）の環状部（１Ａ）に対して、取付け又は取外し自在である。
従って、図１に示すストラップ（３）の他に、例えば、ストラップ環紐（７）に、立体的又は平面的な装飾体（例、動物等のキャラクタ）を取付けたストラップ等、様々な仕様のストラップをハウジング本体（１）に付け換えることが可能となる。
【００４４】
本考案に係るコネクタストラップ（Ｘ）において、図８に示すように、着信検出・制御部（２３）に換えて、制御部（３２）を備える構成も採用できる。なお、図８において、図１乃至図７と同一符号は、同一部材及び同一構成を示すので、その詳細な説明は省略する。
制御部（３２）は、図８に示すように、ＣＰＵ（３５：Central Processing Unit）及びＬＥＤ駆動回路（３６）で構成され、接続端子（２）に接続されている。ＣＰＵ（３５）は、ＬＥＤ駆動回路（３６）に接続され、ＬＥＤ駆動回路（３６）は発光素子（２２）に接続されている。
【００４５】
図８の制御部（３２）において、図６及び図７に示すように、接続端子（２）を携帯通信端末（Ｚ）の外部接続端子（１０３）に接続すると、ＣＰＵ（３５）はＬＥＤ駆動回路（３６）を駆動する。
そして、ＬＥＤ駆動回路（３６）は、接続端子（２）及び外部接続端子（１０３）を通して携帯通信端末（Ｚ）の蓄電素子（１０４）に接続されているので、蓄電素子（１０４）の電圧を発光素子（２１）に印加する。
これにより、発光素子（２２）は、発光するので、コネクタストラップ（Ｘ）及び携帯通信端末（Ｚ）の使用者は、暗闇中であっても、携帯通信端末（Ｚ）を認識できる。
特に、コネクタストラップ（Ｘ）の発光素子（２２）を発光することで、暗闇中において、携帯電灯として用いる。
【００４６】
なお、図８の制御部（３２）において、ハウジング本体（１）にスイッチ素子（３７）を配置し、スイッチ素子（３７）を制御部（３２）及び接続端子（２）間に接続する構成も採用できる。
スイッチ素子（３７）は、使用者の操作でＯＮ／ＯＦＦ操作され、制御部（３２）のＣＰＵ（３５）は、スイッチ素子（３７）のＯＮで接続端子（２）に接続され。ＬＥＤ駆動回路（３６）を駆動して、発光素子（２２）を発光する。
これにより、使用者の必要時、例えば暗闇中において、上記スイッチ素子をＯＮ操作することで、発光素子（２１）を発光できるので、携帯通信端末（Ｚ）の蓄電素子（１０４）の電力消費を抑えることができる。
【００４７】
本考案に係るコネクタストラップ（Ｘ）において、ハウジング本体（１）を透明又は半透明の樹脂等で形成し、発光素子（２２）をハウジング本体（１）内に配置する。
これにより、発光素子（２２）の発光は、ハウジング本体（１）を通して認識できる。
また、ハウジング本体（１）を、立体的又は平面的な動物、植物等、又はキャラクタの形状に形成しても良い。
【００４８】
本考案に係るコネクタストラップ（Ｘ）において、ロック機構（５）は、図１乃至図４に示す構成に限定されず、ハウジング本体（１）及び接続端子（２）を端末本体（１０１）又は外部接続端子（１０３）に対し、取外不能又は取外可能とする構成であれば良い。
【産業上の利用可能性】
【００４９】
本考案は、携帯通信端末の外部接続端子に接続するコネクタストラップに好適である。
【符号の説明】
【００５０】
Ｘ  コネクタストラップ
Ｚ  携帯通信端末（スマートフォン）
１０３  外部接続端子（ドグコネクタ）
１０４  蓄電素子
１  ハウジング本体
２  接続端子（コネクタ）
３  ストラップ
５  ロック機構
１５  操作部
１６  係止部
１７  操作ボタン
２２  発光素子（発光ダイオード）
２３  着信検出・制御部
【図１】
0003175675.tif 000003
【図２】
0003175675.tif 000004
【図３】
0003175675.tif 000005
【図４】
0003175675.tif 000006
【図５】
0003175675.tif 000007
【図６】
0003175675.tif 000008
【図７】
0003175675.tif 000009
【図８】
0003175675.tif 000010